(57)【特許請求の範囲】
【請求項１】
化粧料が収容された有底筒状の容器本体と、この容器本体の上端から段差部を介して上向きに延設される略筒状の口部と、上記口部の外周面に形成されたねじ部とら合して容器本体を蓋する蓋体と、上記口部の外径よりそれ自身の内径が大きく設定された環状部材とを備え、上記容器本体の上端に延設される口部が、容器本体の外形に対して偏心して設けられているとともに、上記蓋体の内部が仕切板によって上下に仕切られ、その上側部分に化粧用具収容スペースが設けられており、上記環状部材が、上記蓋体とは別部材の剛性の環状リングと、その下面に環状に取り付けられ下方に向かうにつれて拡径する略円錐台形状の可撓性部材とで構成され、上記蓋体の下側に配置され上記口部に遊嵌された状態で、上記蓋体とヒンジ連結されており、上記口部に蓋体をら合させて閉蓋した状態では、上記蓋体の締め付け力によって上記環状部材の下面が容器本体の上端面に圧接され、上記口部と蓋体のら合を解除した状態では、上記環状部材による圧接が解除されて、蓋体が環状部材とのヒンジ連結を利用して開閉自在になっていることを特徴とする化粧料容器。
【発明の詳細な説明】
【技術分野】
【０００１】
本発明は、各種の粉末化粧料を収容するパウダー容器等の化粧料容器に関するものである。
【背景技術】
【０００２】
従来から、粉末化粧料を収容するパウダー容器等の化粧料容器として、化粧料を収容する容器本体と、この容器本体の口部にねじ止めされる蓋体とを備えた化粧料容器がよく出回っている。このような化粧料容器として、例えば、図１４に示すようなケースが提案されている（例えば、特許文献１参照）。このケースは、化粧料収容用の凹所３１ａが形成された底部３１と、この底部３１の口部３１ｂにら合する蓋部３２と、それ自身の上端部３３ａが上記蓋部３２にヒンジ連結される連結部材３３とを備えており、この連結部材３３の下端部３３ｂが、上記底部３１の外周部に形成された溝３４内に摺動自在に配設されている。そして、上記蓋部３２を閉じる場合は、上記閉蓋状態の口部３１ｂにら合した蓋部３２を開蓋方向に回転させ、この回転に伴って連結部材３３の下端部３３ｂを溝３４に沿って摺動させることにより上記ら合を解除させ、この状態で、図１５に示すように、蓋部３２を矢印方向に開くことができるようになっている。この容器によれば、化粧料が気密性を要するものであっても、上記口部３１ｂと蓋部３２とのら合によって内部を密封することができる。そして、通常のコンパクト容器のように、蓋部３２を後方に大きく開くことができ、便利である。
【０００３】
また、同様の効果を奏する容器として、図１６に示すコンパクト容器も提案されている（例えば、特許文献２参照）。このコンパクト容器は、化粧料の収容部４１ａが形成された中枠４１と、この中枠４１の下部を収容する本体４２と、上記中枠４１の口部４１ｂにら合する蓋体４３と、この蓋体４３から下向きに突設されるヒンジ用突部４４とを備えており、このヒンジ用突部４４の下端部４４ａが、上記本体４２の外周部に形成されたガイド溝４２ａ内に摺動自在に配設されている。そして、上記蓋体４３を開ける場合は、蓋体４３を開蓋方向に回転させ、この回転に伴ってヒンジ用突部４４の下端部４４ａをガイド溝４２ａに沿って摺動させることにより、上記ら合を解除させ、この状態で、図１７に示すように、開蓋するようになっている。
【特許文献１】特開平１１−１９２１２３号公報
【特許文献２】特開２０００−８３７２４号公報
【発明の開示】
【発明が解決しようとする課題】
【０００４】
しかしながら、これらの容器では、化粧料が粉状である場合、使用時に、化粧料が底部３１，中枠４１の溝３４，４２ａにこぼれて溜まり、溝３４，４２ａが汚染されるうえ、溝３４，４２ａに溜まった化粧料が外部に飛散して周囲が汚染されやすい。そして、溝３４，４２ａの内側は清掃しにくいため、不潔になりやすいという問題もある。
【０００５】
本発明は、このような事情に鑑みなされたもので、容器本体やその周囲が粉状化粧料等で汚染されにくく、しかも、気密性とコンパクト容器の使い勝手を兼ね備えた化粧料容器の提供を目的とする。
【課題を解決するための手段】
【０００６】
上記の目的を達成するため、本発明の化粧料容器は、化粧料が収容された有底筒状の容器本体と、この容器本体の上端から段差部を介して上向きに延設される略筒状の口部と、上記口部の外周面に形成されたねじ部とら合して容器本体を蓋する蓋体と、上記口部の外径よりそれ自身の内径が大きく設定された環状部材とを備え、上記容器本体の上端に延設される口部が、容器本体の外形に対して偏心して設けられているとともに、上記蓋体の内部が仕切板によって上下に仕切られ、その上側部分に化粧用具収容スペースが設けられており、上記環状部材が、上記蓋体とは別部材の剛性の環状リングと、その下面に環状に取り付けられ下方に向かうにつれて拡径する略円錐台形状の可撓性部材とで構成され、上記蓋体の下側に配置され上記口部に遊嵌された状態で、上記蓋体とヒンジ連結されており、上記口部に蓋体をら合させて閉蓋した状態では、上記蓋体の締め付け力によって上記環状部材の下面が容器本体の上端面に圧接され、上記口部と蓋体のら合を解除した状態では、上記環状部材による圧接が解除されて、蓋体が環状部材とのヒンジ連結を利用して開閉自在になっているという構成をとる。
【発明の効果】
【０００７】
すなわち、本発明の化粧料容器は、蓋体にヒンジ連結され、かつ口部に遊嵌される環状部材を、蓋体の下側に挟んだ状態で、容器本体の口部と蓋体とをら合させて閉めるようにしたものである。したがって、この状態では、上記環状部材が、蓋体の締め付け力によって、下向きに押圧され、環状部材の下面が容器本体の上端面に圧接されるため、容器本体内を気密状態に保持することができる。そして、蓋体を開ける場合は、上記蓋体を開蓋方向に回転させ、蓋体を上昇させる。これに伴い、環状部材も回転しながら上昇して上記圧接が解除される。そして、さらにこの回転を続けて上記ら合を解除した後、蓋体を、通常のコンパクト容器のように、環状部材とのヒンジ連結を利用して、後方に大きく開くことができる。
【０００８】
このように、本発明の化粧料容器では、容器本体には、従来例のような溝を形成することなく、ねじによる密閉と蓋体のヒンジ連結による開閉を兼ね備えるようにしたものである。したがって、化粧料が粉状化粧料であっても、上記溝に粉状化粧料が溜まって溝内が汚染されたり、この溝に溜まった粉状化粧料が外部に飛散して周囲をも汚染したりするという問題が解消され、清浄に使用することができる。
【０００９】
また、上記環状部材が、上記蓋体とは別部材の剛性の環状リングと、その下面に環状に取り付けられ下方に向かうにつれて拡径する略円錐台形状の可撓性部材とで構成されているため、閉蓋状態における、蓋体の締め付け力が、剛性の環状リングを介して可撓性部材に均一に作用するため、一層優れた気密効果を奏する。
【発明を実施するための最良の形態】
【００１０】
つぎに、本発明を実施するための最良の形態について説明する。ただし、本発明は、この実施の形態に限られるものではない。
【００１１】
図１は本発明の化粧料容器の一実施の形態を示す斜視図であり、図２はその側面図である。この化粧料容器は、その分解側面図である図３に示すように、略有底円筒状の容器本体１と、シール材として作用する環状部材２と、上記容器本体１を開閉する略円筒状の蓋体３と、略円板状の上蓋４とで構成されている。
【００１２】
上記容器本体１は、その断面図である図４に示すように、略有底円筒状に形成されており、その内部に粉状化粧料５が収容されている。また、上記容器本体１の上端から段差部を介して略円筒状の口部１１が、上向きに延設されており、その外周面に、上記蓋体２のねじ部３ａ（図８参照）にら合するねじ部１１ａが形成されているとともに、このねじ部１１ａより下側の部分に、上記口部１１の周方向に沿って一条の環状突部１２が突設されている。なお、粉状化粧料５の収容凹部１ｂと口部１１とは、容器本体１の平面図である図５に示すように、容器本体１の外形に対して偏心しており、容器本体１の上端面１ａの径方向の幅が、左右で異なっている。
【００１３】
また、上記容器本体１の上に配置される環状部材２は、その平面図である図６に示すように、略円環状に形成されており、そのＡ−Ａ′断面図である図７に示すように、剛性、例えば、硬質合成樹脂板や金属板からなる環状リング１３と、この環状リング１３の下面に接着固定される可撓性のパッキン１４とで構成されている。これら環状リング１３およびパッキン１４の内径は、上記容器本体１側に設けられたねじ部１１ａ，環状突部１２の外径より大きく設定されている。また、上記環状リング１３およびねじ部１１ａの外径は、容器本体１と同一径に設定されている。そして、上記環状部材２は、上記口部１１に遊嵌され、口部１１の周方向に沿って回動自在で、かつ上下動自在になっている。
【００１４】
なお、上記環状部材２において、環状リング１３の片端部（図６では、右端部）には、ヒンジ連結部１５が上向きに突設されており、この部分に、そのピン挿通穴１５ａに挿通された第１連結ピン１６（図２参照）を介して、後述する蓋体３が、開閉自在にヒンジ連結されている。
【００１５】
また、上記パッキン１４は、ゴム，合成樹脂材料，エラストマー等の可撓性材料を下方に向かうにつれて拡径する略円錐台形状に形成したもので、吸盤のようになっている。
【００１６】
上記環状部材２の上に配置される蓋体３は、その断面図である図８に示すように、略円筒状に形成されており、その内部が仕切板１７によって上下に仕切られている。そして、この仕切板１７より下側部分の内周面には、上記口部１１のねじ部１１ａにら合するねじ部３ａが断続的に形成されており、上側部分には、パフ等の化粧用具（図示せず）が収容されるようになっている。
【００１７】
そして、上記蓋体３の周壁の片端部（図８では、右端部）の下側には、上記環状部材２のヒンジ連結部１５を連結させるための下側切欠き部１８が形成されており、その両側部分に、上記ヒンジ連結部１５のピン挿通穴１５ａに対応する部分に下側ピン挿通穴１８ａが穿設されている。そして、これら両下側ピン挿通穴１８ａに挿通された第１連結ピン１６を介して、この部分が、上記環状部材２のヒンジ連結部１５と、開閉自在にヒンジ連結されている。
【００１８】
また、上記蓋体３の、下側切欠き部１８が設けられた部分の上側に、この上に配置される上蓋４（図３参照）のヒンジ連結部２０を上から連結させるための上側切欠き部１９が形成されており、第２連結ピン２１を介して、この部分に、上蓋４が、開閉自在にヒンジ連結されている。
【００１９】
上記上蓋４が開いた状態を、図９に示す。なお、４ａは、上記上蓋４から突設される係合部で、蓋体３側に設けられた被係合部３ｂ（図３参照）と係合することにより、上蓋４を閉じた状態で保持されるようになっている。
【００２０】
上記の構成によれば、蓋体３にヒンジ連結され、かつ口部１１に遊嵌された環状部材２を、蓋体３の下側に挟んだ状態で、上記口部１１と蓋体３とをら合させて蓋体３を閉じるようになっている。したがって、この状態では、環状部材２が、蓋体３の締め付け力によって、下向きに押圧され、環状部材２の下面、すなわち、可撓性のパッキン１４が容器本体１の上端面１ａに圧接される。このため、閉蓋状態で、容器本体１内を気密状態に保持することができる。そして、蓋体３を開ける場合は、まず、蓋体３を開蓋方向に回転させ、図１０に示すように、蓋体３を上昇させる。これに伴い環状部材２も回転して上昇し、上記圧接が解除される。そして、さらにこの回転を続けて上記ら合を解除した状態で、図１１に示すように、蓋体３を、通常のコンパクト容器のように、環状部材２とのヒンジ連結を利用して、後方に大きく開くことができる。
【００２１】
このように、この実施の形態では、容器本体１に、従来例のような溝を形成することなく、ねじ３ａ，１１ａによる密閉機構と蓋体３のヒンジ連結による開閉機構を兼ね備えるようにしたものである。したがって、化粧料が粉状化粧料５であっても、上記溝に粉状化粧料５が溜まって溝内が汚染されたり、この溝に溜まった粉状化粧料５が外部に飛散して周囲をも汚染したりするという問題が解消され、清浄に使用することができる。
【００２２】
図１２は、上記容器本体１の変形例を示している。この例では、上記容器本体１の上端部からフランジ部（段差部）２５が突設されており、このフランジ部２５の上面２５ａから、容器本体１と略同径の口部１１が上向きに延設されている。そして、この容器本体１を用いた場合も、前記の例と同様の蓋体３および環状部材２を組み合わせて用いることにより、上記環状部材２を、フランジ部２５の上面２５ａに押圧させて容器本体１内を密閉することができる。したがって、上記実施の形態と同様の作用・効果を奏する。
【００２４】
また、図１〜図８に示す実施の形態では、上記蓋体３の上側部分に、化粧用具を収容するためのスペースを設けている。一方、上記スペースを開閉する上蓋４を必要としないものを、参考の形態として、図１３に示す。この場合、全体の構成がより簡単になる。それ以外の部分は、図１〜図８に示す実施の形態と同様であり、同様の部分には同じ符号を付している。この参考の形態でも、図１〜図８に示す実施の形態と同様の作用・効果を奏する。
【００２５】
また、上記実施の形態では、化粧料として、粉状化粧料５を用いているが、粉状に限らず、各種の化粧料を用いることができる。
【図面の簡単な説明】
【００２６】
【図１】本発明の化粧料容器の一実施の形態を示す斜視図である。
【図２】上記化粧料容器の側面図である。
【図３】上記化粧料容器の分解側面図である。
【図４】容器本体の断面図である。
【図５】上記容器本体の平面図である。
【図６】環状部材の平面図である。
【図７】図６のＡ−Ａ′断面図である。
【図８】蓋体の断面図である。
【図９】上蓋の作用を示す側面図である。
【図１０】上記化粧料容器の作用を示す側面図である。
【図１１】上記化粧料容器の作用を示す側面図である。
【図１２】上記容器本体の変形例を示す側面図である。
【図１３】参考の形態における蓋体の説明図である。
【図１４】従来例を示す分解斜視図である。
【図１５】上記従来例の開蓋状態を示す斜視図である。
【図１６】他の従来例を示す分解斜視図である。
【図１７】上記他の従来例の開蓋状態を示す要部断面図である。
【符号の説明】
【００２７】
１  容器本体
１ａ  上端面
２  環状部材
３  蓋体
１１  口部
１１ａ  ねじ部
【図１】
0005271574.tif 000002
【図２】
0005271574.tif 000003
【図３】
0005271574.tif 000004
【図４】
0005271574.tif 000005
【図５】
0005271574.tif 000006
【図６】
0005271574.tif 000007
【図７】
0005271574.tif 000008
【図８】
0005271574.tif 000009
【図９】
0005271574.tif 000010
【図１０】
0005271574.tif 000011
【図１１】
0005271574.tif 000012
【図１２】
0005271574.tif 000013
【図１３】
0005271574.tif 000014
【図１４】
0005271574.tif 000015
【図１５】
0005271574.tif 000016
【図１６】
0005271574.tif 000017
【図１７】
0005271574.tif 000018